(57)【要約】【課題】携帯電話端末の操作部で操作している画像を外部に拡大して表示する。【解決手段】携帯電話端末においては、操作部を撮影する撮影部と、撮影画像から投影画像を作成する作成部と、投影画像を外部に投影表示する投影部とを備えている。かかる構造の携帯電話端末によれば、操作部で操作している画像を外部に拡大して表示できるため、キー操作を円滑にできる。【選択図】図２
2009177530.tif 000002
【特許請求の範囲】
【請求項１】
操作ボタンを有する操作部と、
前記操作部を撮影する撮影部と、
前記撮影部により撮影された撮影画像を取り込んで、前記撮影画像から投影画像を作成する作成部と、
前記投影画像を外部に投影表示する投影部と、
を備えることを特徴とする携帯電話端末。
【請求項２】
請求項１に記載の携帯電話端末において、
操作に応じた画像を表示する画像表示部と、
前記作成部に対して前記画像を含む前記投影画像を作成させ、前記投影部に対して前記投影画像を投影表示させる制御部と、
をさらに備えることを特徴とする携帯電話端末。
【請求項３】
請求項１または２に記載の携帯電話端末において、
前記撮影部の撮影方向の調整を可能とする撮影部用回転部
をさらに備えることを特徴とする携帯電話端末。
【請求項４】
請求項１または２に記載の携帯電話端末において、
前記制御部は、前記撮影部の撮影方向を調整する指令を発信し、
前記制御部の前記指令を受信して前記撮影部の撮影方向を調整する撮影部回転用駆動部
をさらに備えることを特徴とする携帯電話端末。
【発明の詳細な説明】
【技術分野】
【０００１】
本発明は、携帯電話端末に関する。
【背景技術】
【０００２】
携帯電話端末では、キー入力操作に応じて文字入力や、各種アプリケーションの利用がされる。キー操作に慣れていない人、年配者や弱視者がキー操作をする場合、キーが小さく文字が読みにくいため、キーの入力間違いがあるなど、使いにくい面があった。
【０００３】
このような問題を解決する手段として、特許文献１には、利用者が操作可能な面上に仮想的なキー配列画像を投影し、そのキー配列画像上でキーを選択する操作を行わせる技術が記載されている。
また、特許文献２には、キー配列盤面を撮影し、撮影した映像と編集文書情報とを同時に表示画面に表示させる技術が記載されている。
【特許文献１】特開２００５−２０４０２４号公報
【特許文献２】特開平９−６５０７号公報
【発明の開示】
【発明が解決しようとする課題】
【０００４】
しかしながら、上記特許文献１に記載の技術では、投影されたキー配列画面で操作をしながら表示画面を見るのに慣れていないと操作しにくいといった問題があった。また特許文献２に記載の技術を表示画面そのものが小さい携帯電話端末に適用した場合、キー配列画面を拡大表示することはできない。
【課題を解決するための手段】
【０００５】
本発明による携帯電話端末は、操作ボタンを有する操作部と、前記操作部を撮影する撮影部と、前記撮影部により撮影された撮影画像を取り込んで、前記撮影画像から投影画像を作成する作成部と、前記投影画像を外部に投影表示する投影部と、を備えることを特徴とする。
【０００６】
この携帯電話端末においては、操作部を撮影する撮影部と、撮影画像から投影画像を作成する作成部と、投影画像を投影表示する投影部とを備えている。かかる構造の携帯電話端末によれば、操作部で操作している画像を外部に拡大して表示できるため、キー操作を円滑にできる。
【発明の効果】
【０００７】
本発明によれば、操作部で操作している画像を外部に拡大して表示できるため、円滑なキー操作に適した構造の携帯電話端末が実現される。
【発明を実施するための最良の形態】
【０００８】
以下、図面を参照しつつ、本発明による携帯電話端末の好適な実施形態について詳細に説明する。なお、図面の説明においては、同一要素には同一符号を付し、重複する説明を省略する。
【０００９】
（第１実施形態）
図１は、本発明による第１実施形態を示す携帯電話端末の機能ブロック図である。
図１に示すように、携帯電話端末１００は、操作ボタンを有する操作部１０４と、操作部１０４を撮影するカメラ１０８と、カメラ１０８により撮影された撮影画像を取り込んで、撮影画像から投影画像を作成する作成部１３３と、投影画像を外部に投影表示する投影部１１１と、を備える。
【００１０】
またさらに携帯電話端末１００は、無線のアンテナ（ＡＮＴ）１０１、送受信部（ＴＲＸ）１０２、制御部１０３、音声通話用のマイク１０５、音声通話用のレシーバ１０６、報知用のスピーカ１０７、カメラ回転部１０９、記憶部１１０、画像表示部（ＬＣＤ）１１２、および開閉検出部１１３を備えている。
【００１１】
制御部１０３は、作成部１３３を有し、システム全体を制御する。制御部１０３は、操作部１０４より入力されるユーザー操作、音声通話用のマイク１０５からの情報、開閉検出部１１３の検出などを起点に、送受信部（ＴＲＸ）１０２、音声通話用のレシーバ１０６、報知用のスピーカ１０７、カメラ１０８、カメラ回転部１０９、記憶部１１０、投影部１１１、および画像表示部１１２、などの動作を制御して、携帯電話端末１００を動作させる。また、カメラ１０８の撮影方向の情報、カメラ回転部１０９の位置情報などを検知することもできる。
【００１２】
携帯電話端末１００は、通常使用モードの場合、画像表示部１１２を点灯して操作に応じた画像（表示画像）を画像表示部１１２に表示することができる。また、投影モードの場合、画像表示部１１２を消灯し、カメラ１０８を起動して撮影を開始し、撮影した画像から投影部１１１により外部に投影画像として表示することができる。
【００１３】
図２は、本発明による第１実施形態を示す携帯電話端末の斜視図である。ここでは、携帯電話端末１００が投影モードの場合を示している。
【００１４】
画像表示部１１２は、操作に応じた画像（表示画像）を表示する。
【００１５】
操作部１０４は、スクロール／決定キー、テンキー、サイドキー等の複数の操作キーを含む。
【００１６】
カメラ１０８は、操作部１０４を撮影する撮影部である。カメラ１０８は、操作部１０４とともに操作部１０４を操作する利用者の指等を含んだ領域の映像の撮影をする。カメラ１０８は、携帯電話端末１００の画像表示部１１２の上部に設置され、操作部１０４の上方または斜め上方から操作部１０４全体を撮影する。
【００１７】
カメラ回転部１０９は、カメラ１０８の位置を上下方向、左右方向に回転可能とする。カメラ回転部１０９により手動でカメラ１０８の撮影方向を調整することができる。これにより、操作部１０４全体の撮影がより簡便になり、特に投影したい部分を撮影することもできる。また、カメラ１０８が所定の位置になった場合に、自動的に携帯電話端末１００を投影モードに切り替えるように設定することもできる。
【００１８】
投影部１１１は、携帯電話端末１００が投影モードである場合に、制御部１０３から送信される投影画像を受信し、外部に投影画像を投影表示する。投影部１１１は、レンズと光源を備え、これらにより投影画像（動画像や静止画像）を拡大表示できる。外部とは、投影画像の表示可能な部分であればよく、特に限定されない。利用者が投影画像を目視できるような壁面やスクリーンなどである。
【００１９】
制御部１０３は、携帯電話端末１００のモードを切り替えることができる。操作部１０４において受け付けられるユーザー操作による情報、カメラ回転部１０９の位置情報、開閉検出部１１３からの操作部１０４の開閉情報などの各種の情報に基づいて、携帯電話端末１００のモードを切り替えてもよい。また、さらにモードの切り替えをメカニカルスイッチのＯＮ／ＯＦＦ情報に基づいて、行ってもよい。メカニカルスイッチのＯＮ／ＯＦＦ情報は、カメラ回転部１０９の位置情報に応じるものとすることもできる。
【００２０】
作成部１３３は、カメラ１０８が撮影した撮影画像を取り込んで、投影画像を作成する。また、画像表示部１１２が表示する表示画像を取り込んで、表示画像および撮影画像を合成して投影画像を作成することもできる。作成された投影画像は、制御部１０３により、投影部１１１へ送られる。
【００２１】
投影画像としては、撮影画像をそのまま用いてもよく、またいったん記憶部１１０に記憶して作成部１３３内で画像処理をおこなったものを用いてもよい。画像処理の方法は特に限定されない。また、表示画像および撮影画像の合成は、上下に並べるように合成してもよく、それぞれの画像の大きさ、倍率などは同じであっても異なっていてもよい。
【００２２】
記憶部１１０は、入力データ、撮影画像、表示画像、および投影画像などの画像データ、制御データなど、各種データを記憶できる。また、操作部１０４の位置情報、カメラ１０８の撮影方向の情報、カメラ回転部１０９の位置情報、などの記憶もできる。
【００２３】
以上のように構成された携帯電話端末１００における機能について図３のフローチャートを参照して説明する。なお、ここでは、制御部１０３による携帯電話端末１００の投影モードへの切替は、ユーザーの操作によってカメラ回転部１０９が所定の位置に調整されると切替をおこなうように設定している。
【００２４】
図３では、携帯電話端末１００に文字入力をする際に、投影モードに切替が行われて投影が行われるまでを示している。
【００２５】
まず、ユーザー操作に基づいて、カメラ１０８の位置を調整する。カメラ１０８の位置調整が行われると、制御部１０３は、カメラ回転部１０９が所定の位置に調整されたかを検知する（Ｓ１２）。
【００２６】
制御部１０３において、カメラ回転部１０９が所定の位置に調整されると、メカニカルスイッチ（ＳＷ）がＯＮになり、ＯＮ情報を検知する（Ｓ１３）。制御部１０３は、ＯＮ情報を検知すると、携帯電話端末１００を投影モードに切替える（Ｓ１４）。
【００２７】
続いてカメラ１０８が操作部１０４を含む領域を撮影し、制御部１０３がその撮影画像を取り込む（Ｓ１５）。
【００２８】
作成部１３３は、画像表示部１１２に表示された画像と撮像画像とを合成して、投影画像を作成する（Ｓ１６）。そして、制御部１０３は、投影画像のデータを投影部１１１に送信して、画像表示部１１２を消灯して、投影部１１１をＯＮにして投影画像を外部へ投影表示させる（Ｓ１７）。
【００２９】
また、Ｓ１２で、制御部１０３がカメラ回転部１０９が所定の位置に調整されたことを検知しない場合には、投影部１１１はＯＦＦのままで、携帯電話端末１００は通常使用モードのままである（Ｓ１８）。
【００３０】
本実施形態の効果を説明する。
携帯電話端末１００においては、操作部１０４を撮影するカメラ１０８と、撮影画像から投影画像を作成する作成部１３３と、投影画像を投影表示する投影部１１１とを備えている。かかる構造の携帯電話端末１００によれば、操作部１０４で操作している様子を撮影した撮影画像を外部に拡大して表示できるため、操作部１０４上の指の位置や動きなどを確認しながら円滑にキー操作が行うことができる。また、外部に投影するため、画像表示部１１２（表示画面）の大きさに限定されずに表示でき、拡大率の調整も幅広く可能となる。特に携帯電話端末１００のように画像表示部１１２のサイズが小さい場合には、画像表示部１１２のサイズに限定されずに拡大表示できるため、キー操作の円滑化がより促進できる。
【００３１】
また、携帯電話端末１００は、画像表示部１１２と、制御部１０３を備えている。制御部１０３は、作成部１３３に対して表示画像および撮影画像を合成した投影画像を作成させて、合成された投影画像を投影部１１１に投影表示させる。
これにより、表示画像と操作部分（撮影画像）が近接に配置された状態の画像を外部に拡大できる。このため、投影画像において表示画像と操作部分が同時に確認でき、表示画像のみを拡大表示する場合に比して、キー操作がより円滑になる。
【００３２】
（第２実施形態）
図４は、本発明による第２実施形態を示す携帯電話端末の機能ブロック図である。携帯電話端末１００がカメラ回転部１０９を有していたのに対し、本実施形態における携帯電話端末２００はカメラ回転用駆動部１１４を具備した例である。
【００３３】
携帯電話端末２００においては、制御部１０３の指令に基づいてカメラ１０８の撮影方向を調整するカメラ回転用駆動部１１４が備えられている。
【００３４】
カメラ回転用駆動部１１４は、制御部１０３の指令を受信してカメラ１０８の撮影方向を調整する。
【００３５】
制御部１０３は、カメラ１０８の撮影方向を予め設定された方向になるようにカメラ回転用駆動部１１４に指令する。これにより、携帯電話端末２００が投影モードに切り替わることによって、自動的にカメラ１０８の位置調整がされる。
また、制御部１０３は、カメラ１０８の撮影方向が適当であるかを判断し、適当でないと判断した場合は、カメラ回転用駆動部１１４にカメラ１０８の撮影方向を調整する指令を発信する。
【００３６】
開閉検出部１１３は、携帯電話端末２００の操作部１０４が開状態であるか閉状態であるかを検出する。開状態とは、操作部１０４の操作が可能であって、閉状態では操作部１０４の操作ができないことをいう。
【００３７】
カメラ回転用駆動部１１４と開閉検出部１１３が連動することにより、操作部１０４を開状態にした際に、投影モードに切り替わり、自動的にカメラ１０８の撮影方向を調整することができる。
【００３８】
制御部１０３は、開閉検出部１１３の検出に基づいて、携帯電話端末２００のモードを切り替える。さらに、制御部１０３は、カメラ回転用駆動部１１４と開閉検出部１１３が連動することにより、操作部１０４を開状態にした際に、投影モードに切り替え、カメラ回転用駆動部１１４に対してカメラ１０８の撮影方向を調整する指令を発信する。これにより、操作部１０４を開くだけで自動的にカメラ１０８の撮影方向が調整できる。
【００３９】
なお、折りたたみ式の携帯電話端末２００においては、携帯電話端末２００が折りたたまれた状態において、操作部１０４が閉じた状態となり、携帯電話端末２００が開いた状態において、操作部１０４が開いた状態となる構成が一般的である。この場合には、開閉検出部１１３は、携帯電話端末２００の折りたたみ検出部を兼ねてもよい。
【００４０】
以上のように構成された携帯電話端末２００における機能について図５のフローチャートを参照して説明する。ここでは、携帯電話端末２００のモードを自動的に投影モードに切り替えてから投影画像を作成するステップについて説明する。また初期設定として、開閉検出部１１３の検知情報に基づいて、携帯電話端末２００を投影モードにするように設定している。
【００４１】
図５に示すように、まず、ユーザー操作に基づいて、操作部１０４を開状態にする。開閉検出部１１３が携帯電話端末２００の操作部１０４が開状態になったことを検知する（Ｓ２２）。
【００４２】
制御部１０３は、操作部１０４の開状態が検知された情報に基づいて、カメラ１０８を起動させる（Ｓ２３）。カメラ１０８は操作部１０４を含む領域を撮影し、その撮影画像は制御部１０３へ送られる。
【００４３】
次に、制御部１０３は、撮影画像を入手する（Ｓ２４）。制御部１０３は、入手した撮影画像を解析し、ユーザーの指の位置データと操作部１０４の位置データなど、特徴データを照合し、撮影方向が適切かどうかを判断する（Ｓ２５）。
【００４４】
制御部１０３は、撮影方向が不適切であると判断した場合、カメラ１０８の撮影方向が適切な位置になるようにカメラ回転用駆動部１１４を駆動させる（Ｓ２８）。これにより、カメラ１０８の撮影方向を調整する。
【００４５】
その後、カメラ１０８による撮影画像を再び入手して（Ｓ２４）、入手した撮影画像を解析して（Ｓ２５）、カメラ１０８の撮影方向を調整する操作を繰り返す（Ｓ２８）。
【００４６】
制御部１０３は、撮影方向が適切であると判断した場合、カメラ回転用駆動部１１４の駆動を停止して、カメラ１０８を固定する（Ｓ２６）。
【００４７】
撮影方向を適切な位置に調整したあとは、図３に示すＳ１６と同様にして、画像表示部１１２に表示された画像と撮像画像とを合成して、投影画像を作成する。
【００４８】
本実施形態の効果を説明する。
携帯電話端末２００においては、カメラ回転用駆動部１１４および開閉検出部１１３が設けられている。また制御部１０３は、カメラ回転用駆動部１１４にカメラ１０８の撮影方向を調整する指令を発信する。これにより、携帯電話端末２００の操作部１０４を開状態にすると自動的に投影モードに切替り、カメラ回転用駆動部１１４によりカメラ１０８の撮影方向が調整されるため、投影モードが容易に利用できる。また、投影モードに切り替えるための特別な操作も不要となり、投影モード切替が迅速になる。
本実施形態のその他の効果は、上記実施形態と同様である。
【００４９】
本発明による携帯電話端末２００は、上記実施形態に限定されるものではなく、様々な変形が可能である。本実施形態においてはカメラ回転用駆動部１１４および開閉検出部１１３を用いる例を示したが、いずれか一方であってもよい。また、カメラ１０８の設置は、画像表示部１１２以外の場所であればよく、上部に限られない、
【図面の簡単な説明】
【００５０】
【図１】本発明による第１実施形態を示す携帯電話端末の機能ブロック図である。
【図２】本発明による第１実施形態を示す携帯電話端末の斜視図である。
【図３】本発明による第１実施形態を示す携帯電話端末の動作を示すフローチャートである。
【図４】本発明による第２実施形態を示す携帯電話端末の機能ブロック図である。
【図５】本発明による第２実施形態を示す携帯電話端末の動作を示すフローチャートである。
【符号の説明】
【００５１】
１００  携帯電話端末
１０１  アンテナ
１０２  ＴＲＸ
１０３  制御部
１０４  操作部
１０５  マイク
１０６  レシーバ
１０７  スピーカ
１０８  カメラ
１０９  カメラ回転部
１１０  記憶部
１１１  投影部
１１２  画像表示部
１１３  開閉検出部
１１４  カメラ回転用駆動部
１３３  作成部
２００  携帯電話端末
【図１】
2009177530.tif 000003
【図２】
2009177530.tif 000004
【図３】
2009177530.tif 000005
【図４】
2009177530.tif 000006
【図５】
2009177530.tif 000007